(57)【要約】【課題】正券であるにもかかわらず返却された紙幣を紙幣処理機に収納するようにして、紙幣処理機で紙幣を一括管理するための手段を提供する。【解決手段】紙幣処理機１０は、窓口端末１から強制入金取引を実行する旨を受信し、窓口係員により紙幣が投入されると、投入された紙幣の外形に基づく金種を鑑別部１５で鑑別してから一時集積部１６に集積していくと共に、金種ごとの紙幣枚数を計数し、計数した紙幣枚数を窓口端末１に送信し、窓口端末１から紙幣収納指示を受信したときに、一時集積部１６に集積した紙幣を金種別紙幣収納部１８に搬送して金種ごとに収納する。【選択図】図１
2010015402.tif 000002
【特許請求の範囲】
【請求項１】
投入口に投入された紙幣を鑑別部に搬送し、該鑑別部による鑑別結果に基づいて紙幣を金種ごとに分けて収納部に収納する紙幣処理機において、
入金取引で前記鑑別部により金種不明と鑑別し、リジェクト紙幣として排出した紙幣について、上位端末から強制入金取引を実行する旨の通知を受信し、係員により紙幣が投入されたとき、前記鑑別部によって投入された紙幣の外形に基づく金種を鑑別し、鑑別した紙幣を前記収納部に収納することを特徴とする紙幣処理機。
【請求項２】
請求項１に記載の紙幣処理機において、
強制入金取引時に、前記鑑別部で鑑別した紙幣を一時集積部に集積すると共に、鑑別した金種ごとの紙幣の枚数を計数し、計数した金種ごとの紙幣の枚数を上位端末に送信し、上位端末から紙幣を収納する旨の通知を受信して、前記一時集積部に集積した紙幣を前記収納部に収納することを特徴とする紙幣処理機。
【請求項３】
請求項１または請求項２に記載の紙幣処理機において、
前記収納部に、強制入金取引を行った際に前記鑑別部で鑑別した紙幣を収納する強制入金専用カセットを設けたことを特徴とする紙幣処理機。
【請求項４】
金融機関の窓口に設置され、表示部と、係員が入力を行う入力部とを有する上位端末と、
前記上位端末と接続し、投入口に投入された紙幣を鑑別部に搬送して該鑑別部による鑑別結果に基づいて紙幣を金種ごとに分けて収納部に収納する紙幣処理装置とを有する窓口取引システムであって、
入金取引で前記鑑別部により金種不明と鑑別され、リジェクト紙幣として排出された紙幣について、前記上位端末は、係員による強制入金取引の指示が入力されたとき、強制入金取引を実行する旨を前記紙幣処理機に送信し、
前記紙幣処理機は、強制入金取引を実行する旨を受信し、係員により紙幣が投入されると、前記鑑別部によって投入された紙幣の外形に基づく金種を鑑別して、その鑑別した紙幣を一時集積部に集積すると共に、鑑別した金種ごとの紙幣枚数を計数してその金種ごとの紙幣枚数を上位端末に送信し、
前記上位端末は、受信した金種ごとの紙幣枚数を前記表示部に表示し、係員によって紙幣を収納する指示が入力された際に前記紙幣処理機に紙幣を収納する旨の通知を送信し、
前記紙幣処理機は、上位端末から紙幣を収納する旨の通知を受信して、前記一時集積部に集積した紙幣を前記収納部に収納することを特徴とする窓口取引システム。
【請求項５】
請求項４に記載の窓口取引システムにおいて、
前記上位端末は、強制入金取引の指示が入力された際に、係員に前記紙幣処理機に投入する金種ごとの紙幣枚数を入力させ、入力された金種ごとの紙幣枚数を記憶しておき、前記紙幣処理機から金種ごとの紙幣枚数を受信したとき、その金種ごとの紙幣枚数と前記記憶した金種ごとの紙幣枚数とを比較し、その比較の結果、金種ごとの紙幣枚数が不一致の場合は強制入金取引を中止する旨の通知を前記紙幣処理機に送信することを特徴とする窓口取引システム。
【発明の詳細な説明】
【技術分野】
【０００１】
本発明は、金融機関の窓口における顧客との取引で使用される紙幣を取扱う紙幣処理機およびそれを用いた窓口取引システムに関する。
【背景技術】
【０００２】
従来の窓口取引システムは、窓口取引で顧客から窓口係員に預けられた紙幣が紙幣入金機に投入されると、紙幣入金機はその紙幣を鑑別装置で鑑別して正券と鑑別した紙幣の金額を計数して収納箱に収納し、正券と鑑別しなかった紙幣は返却口に搬送し、窓口係員に返却している。
そして窓口係員が返却された紙幣が正規の紙幣であることを確認し、その確認した紙幣を窓口で紙幣入金機近傍に配置されているテラー紙幣収納箱に収納して、その収納した紙幣の金額を窓口端末の入力部に入力することで、窓口端末はテラー紙幣収納箱に収納された紙幣額を上記で正券と鑑別した紙幣の金額に加算するようにし、このようにして窓口取引の入金額を決定している（例えば、特許文献１参照。）。
【特許文献１】特開昭５７−１６２０６６号公報（第９頁右上欄２行目―第９頁左下欄７行目、第１０図）
【発明の開示】
【発明が解決しようとする課題】
【０００３】
しかしながら、上述した従来の技術においては、紙幣入金機が正券と鑑別しなかった紙幣が返却されると、その紙幣は紙幣入金機とは別にテラー紙幣収納箱に収納されるが、テラー紙幣収納箱は窓口係員にとっては開けることが容易であるため、不正に紙幣が取り出されてしまうことや人為的ミスによって紙幣が紛失してしまうことがある等、そこに収納された紙幣の管理が難しいという問題がある。
【０００４】
本発明は、上記の問題点を解決するための手段を提供することを目的とする。
【課題を解決するための手段】
【０００５】
本発明は、上記課題を解決するために、投入口に投入された紙幣を鑑別部に搬送し、該鑑別部による鑑別結果に基づいて紙幣を金種ごとに分けて収納部に収納する紙幣処理機において、入金取引で前記鑑別部により金種不明と鑑別し、リジェクト紙幣として排出した紙幣について、上位端末から強制入金取引を実行する旨の通知を受信し、係員により紙幣が投入されたとき、前記鑑別部によって投入された紙幣の外形に基づく金種を鑑別し、鑑別した紙幣を前記収納部に収納することを特徴とする。
【発明の効果】
【０００６】
これにより、本発明は、強制入金取引を行ったときに紙幣処理機に投入された紙幣の外形に基づく金種を鑑別し、鑑別した金種に応じて紙幣を金種別紙幣収納部に収納することで、通常の入金取引で正券であるにもかかわらず金種不明等と鑑別されて返却されてしまった紙幣等を紙幣処理機に収納するため、紙幣をテラー紙幣収納箱等の紙幣処理機と別の場所に保管することが無く金種別紙幣収納部にて一元管理できるので、紙幣の管理が容易になるという効果が得られる。
【発明を実施するための最良の形態】
【０００７】
以下に、図面を参照して本発明による窓口取引システムの実施例について説明する。
【実施例１】
【０００８】
図１は実施例１の窓口取引システムを示すブロック図である。
図１において、１は窓口端末（上位端末）であり、金融機関の店舗の窓口に設置され、ＬＣＤやＣＲＴ等の窓口表示部２やキーボードやマウス等の窓口入力部３を備えており、窓口係員の操作によって顧客との間で窓口取引処理を行う。
４は窓口端末１の窓口制御部であり、窓口記憶部５に格納された窓口での入出金や振込等の窓口取引の処理のための制御プログラムに従って窓口端末１の各部を制御する。
【０００９】
５は窓口記憶部であり、窓口制御部４が実行する窓口取引の処理のための制御プログラムを格納する他、窓口端末１を区別するための窓口コードや窓口制御部４による処理結果等を記憶する。
１０は紙幣処理機であり、ＬＡＮを介して窓口端末１と通信可能に接続することで、その窓口端末１から受付けた指示に従って紙幣の入出金処理を行う機能を有する。
【００１０】
１１は処理機制御部であり、処理機記憶部１２に格納された制御プログラムによって紙幣処理機１０の各部を制御する。
１２は処理機記憶部であり、処理機制御部１１が実行する現金の入出金処理のための制御プログラムを格納する他、処理機制御部１１による処理結果を記憶する。
１３は紙幣投入部であり、紙幣投入口を有しており、紙幣投入口に投入された紙幣を受入れ、その紙幣を搬送路１４に繰出す機能を有する。
【００１１】
１４は搬送路であり、紙幣投入部１３によって繰出された現金を紙幣処理機１０の各部へと搬送する。なお途中に複数のブレードを配してそのブレードを動かして搬送方向の切替えを行っている。
１５は鑑別部であり、光学センサや磁気センサ等の各種センサを備え、搬送された紙幣のすかしやホログラム等の光学的特徴や、磁気パターン等の磁気的特徴を取得し、それらの特徴をもとにして紙幣の真偽や正損、金種等を鑑別する。
【００１２】
また、鑑別部１５は光学センサによって取得した紙幣の外形をもとに金種を鑑別する機能を有する。
１６は一時集積部であり、窓口取引が確定するまでの間、鑑別部１５で正券と鑑別された紙幣を一時保管する。
１７は返却部であり、鑑別部１５で偽券や金種不明と鑑別されたリジェクト紙幣等の返却対象の紙幣を排出し、窓口係員は返却口を通して排出された返却対象の紙幣を取り出すことができる。
【００１３】
１８は金種別紙幣収納部であり、複数のカセットを有し、それぞれのカセットに予め定められた金種の紙幣を一定枚数収納するようになっている。
１９はリジェクト収納部であり、窓口での出金取引を行う際に金種別紙幣収納部１８から繰出されて、鑑別部１５で鑑別された紙幣の内、リジェクト紙幣と鑑別された紙幣を収納するための収納部である。
【００１４】
２０は金融機関の店舗に設置された上位装置としてのホストコンピュータであり、店舗に設置されている窓口端末１と専用回線や電話回線等の通信回線を介して接続しており、顧客の口座の口座番号やその暗証番号、口座残高等の顧客情報を保有して顧客の口座を管理する。
上述した構成の作用について説明する。
【００１５】
なお、本発明において、窓口での入金取引は、通常鑑別部１５で光学的特徴と磁気的特徴により紙幣の真偽、正損および金種を鑑別するものであるが、強制入金指示がなされた場合に限って、鑑別部１５で紙幣の外形に基づく金種のみを鑑別し、その鑑別結果をもとに投入された紙幣を収納するようにしている。
店舗に来店した顧客は、窓口での入金取引に用いる伝票に顧客の氏名および口座番号、入金金額等を記入し、この伝票を窓口係員に渡すと、窓口係員は窓口入力部３により入金取引を実行するための入力操作を行い、伝票に記入された氏名および口座番号等を入力する。
【００１６】
ここで実行する入金取引は通常の方法によるものである。
また顧客は、伝票を渡した後、窓口係員に入金する紙幣を預けるものとする。
窓口端末１の窓口制御部４は、入力された氏名と口座番号を窓口記憶部５に記憶しておき、窓口表示部２に紙幣の投入を促す画面を表示する。
なお、窓口制御部４は入金取引を開始する旨の通知を紙幣処理機１０に送信しているものとし、これによって紙幣処理機１０は投入される紙幣を受け入れることが可能な状態となる。
【００１７】
窓口係員は、表示された画面に従って顧客から預かった紙幣を紙幣処理機１０の紙幣投入部１３の紙幣投入口に投入する。
紙幣処理機１０の処理機制御部１１は、紙幣投入部１３に投入された紙幣を搬送路１４に繰出し、搬送路１４によって鑑別部１５に搬送する。
処理機制御部１１は、鑑別部１５によって搬送された紙幣を鑑別し、その鑑別結果から正券と鑑別した紙幣を一時集積部１６に搬送して集積する。またこのとき正券と鑑別した紙幣の金種ごとの枚数を計数していき、その計数した金種ごとの枚数を処理機記憶部１２に記憶する。
【００１８】
なお、処理機制御部１１は、リジェクト紙幣と鑑別した紙幣を返却部１７に搬送して集積することで、窓口係員に紙幣を返却する。
処理機制御部１１は、投入された全ての紙幣についての鑑別を行ったのち、記憶した正券と鑑別した紙幣の金種ごとの枚数を読み出し、その金種ごとの枚数をもとに紙幣の総額を算出し、その算出した総額をＬＡＮを介して窓口端末１に送信する。
【００１９】
窓口制御部４は、受信した紙幣の総額を窓口記憶部５に記憶しておき、その紙幣の総額とその金額を窓口係員に対して確認させる旨の画面、確認した旨を入力する確認キー、入金取引を中止する中止キー等を配した金額確認画面を窓口表示部２に表示する。
ここでは、窓口係員は確認キーを押下すると共に、返却部１７に排出されたリジェクト紙幣を返却口から取り出す。
【００２０】
これによって窓口制御部４は、紙幣処理機１０に紙幣収納指示を送信する。
処理機制御部１１は、一時集積部１６に集積した紙幣を搬送路１４によって鑑別部１５に搬送して再度紙幣の鑑別を行って順次金種別紙幣収納部１８に搬送する。そして搬送した紙幣は、その鑑別した金種に該当する金種別紙幣収納部１８のカセットに収納する。
全ての紙幣を収納すると、窓口端末１に入金された紙幣を収納した旨の通知を送信する。
【００２１】
窓口制御部４は、記憶している氏名と口座番号、紙幣の総額を読み出してこれらを付した入金取引情報をホストコンピュータ２０に送信することで、ホストコンピュータ２０が管理する当該顧客の口座残高に入金された紙幣の総額分を加え、入金取引を一旦終了する。
次に窓口係員は上記でリジェクト紙幣として返却された紙幣を目視等によって正券であるか否かを確認する。
【００２２】
これは、鑑別部１５で金種不明と鑑別されリジェクト紙幣として返却部１７から排出され、窓口係員に返却された紙幣について、窓口係員の目視等で正券であることが確認される場合があるためである。
窓口係員は、正券である紙幣があることを確認すると、窓口入力部３により強制入金取引を実行するための入力操作を行い、上記で顧客から受け取った伝票に記入された氏名および口座番号等を入力する。
【００２３】
以下に、強制入金取引についての入金処理を、図２に示す実施例１の窓口取引システムの強制入金取引を示すフローチャートを用い、Ｓで示すステップに従って説明する。
Ｓ１、窓口制御部４は、強制入金取引を実行する入力操作と共に、氏名と口座番号が入力されると、入力された氏名と口座番号を窓口記憶部５に記憶しておき、窓口表示部２に紙幣の投入を促す画面を表示する。
【００２４】
なお、窓口制御部４は強制入金取引を実行する旨の通知を紙幣処理機１０に送信し、これによって紙幣処理機１０は投入される紙幣を受け入れることが可能な状態となる。
窓口係員は、表示された画面に従い、目視等によって正券であることを確認した紙幣を紙幣処理機１０の紙幣投入部１３の紙幣投入口に投入する。
Ｓ２、処理機制御部１１は、紙幣投入部１３に投入された紙幣を搬送路１４に繰出し、搬送路１４によって鑑別部１５に搬送する。
【００２５】
Ｓ３、処理機制御部１１は、鑑別部１５によって搬送された紙幣の外形に基づく金種を鑑別すると共に、鑑別した紙幣を一時集積部１６へと搬送して集積する。
また、処理機制御部１１は、鑑別した金種ごとの紙幣枚数を計数し、計数した金種ごとの紙幣枚数を処理機記憶部１２に記憶する。
Ｓ４、処理機制御部１１は、投入された全ての紙幣を鑑別した後、記憶した金種ごとの紙幣枚数を読み出してその金種ごとの紙幣枚数を付した強制入金枚数通知をＬＡＮを介して窓口端末１に送信する。
【００２６】
Ｓ５、窓口制御部４は、受信した強制入金枚数通知に付された金種ごとの紙幣枚数を窓口記憶部５に記憶しておき、その金種ごとの紙幣枚数と、窓口係員に対して紙幣の枚数の確認を促す画面、確認した旨を入力する確認キー、強制入金取引を中止する中止キー等を配した紙幣枚数確認画面を窓口表示部２に表示する。
金種ごとの紙幣枚数を確認した窓口係員は、表示された確認キーを押下する。
【００２７】
Ｓ６、窓口制御部４は、確認キーの押下を認識すると、紙幣収納指示を紙幣処理機１０に送信する。
Ｓ７、処理機制御部１１は、一時集積部１６に集積した紙幣を搬送路１４によって鑑別部１５に搬送して再度紙幣の外形からその金種の鑑別を行い、金種を鑑別した紙幣を順次金種別紙幣収納部１８に搬送し、その鑑別した金種に該当する金種別紙幣収納部１８のカセットに収納する。
【００２８】
Ｓ８、処理機制御部１１は、全ての紙幣を収納すると、強制入金取引において投入された紙幣を全て収納した旨の紙幣入金済通知を窓口端末１に送信する。
Ｓ９、窓口制御部４は、記憶している氏名と口座番号、強制入金総額を読み出してこれらを付した入金取引情報をホストコンピュータ２０に送信することで、ホストコンピュータ２０が管理する当該顧客の口座残高に入金された紙幣の総額を加えて口座残高を更新させ、強制入金取引を終了する。
【００２９】
以上説明したように、本実施例では、強制入金取引を行ったときに紙幣処理機に投入された紙幣の外形に基づく金種を鑑別し、鑑別した金種に応じて紙幣を金種別紙幣収納部に収納することで、通常の入金取引で正券であるにもかかわらず金種不明等と鑑別され返却されてしまった紙幣を強制入金取引で紙幣処理機に収納することができるため、正券であるにもかかわらず返却された紙幣をテラー紙幣収納箱等の紙幣処理機と別の場所に保管することが無くなり、正券である紙幣を金種別紙幣収納部に収納して一元管理できるという効果が得られる。
【実施例２】
【００３０】
本実施例の窓口取引システムの構成において、上記実施例１と同様の部分は、同一の符号を付してその説明を省略する。
以下に、本実施例における強制入金取引の動作について、図３に示す実施例２の窓口取引システムの強制入金取引を示すフローチャートを用い、ＳＡで示すステップに従って説明する。
【００３１】
ここで、窓口端末１は、既に上記実施例１に示す通常の入金取引を実行し、その際に紙幣処理機１０が金種不明等のリジェクト紙幣を窓口係員に返却しているものとする。
また、窓口係員は返却された紙幣を目視等によって正券であるか否かを確認し、正券であることを確認した紙幣を紙幣処理機１０に収納するために、窓口端末１の窓口入力部３によって強制入金取引を実行する入力操作を行う。
【００３２】
さらに、窓口係員は通常の入金取引の際に予め顧客から預かっていた伝票に記入されていた氏名と口座番号を窓口入力部３に入力する。
ＳＡ１、窓口端末１の窓口制御部４は、強制入金取引を実行する入力操作と共に、氏名と口座番号が入力されると、入力された氏名と口座番号を窓口記憶部５に記憶し、窓口表示部２に紙幣の投入を促す案内と共に、投入する紙幣の金種ごとの枚数の入力を促す文言とその入力欄等を配した強制入金紙幣投入画面を表示する。
【００３３】
なお、窓口制御部４は強制入金取引を実行する旨の通知を紙幣処理機１０に送信し、これによって紙幣処理機１０は投入される紙幣を受け入れることが可能な状態となる。
ＳＡ２、窓口制御部４は、窓口係員が窓口入力部３により紙幣の金種ごとの枚数を入力すると、その入力された紙幣の金種ごとの枚数を入力紙幣枚数として窓口記憶部５に記憶する。
【００３４】
また窓口係員は、紙幣処理機１０の投入部１３の紙幣投入口に紙幣を投入する。
ＳＡ３、紙幣処理機１０の処理機制御部１１は、紙幣投入部１３に投入された紙幣を搬送路１４に繰出し、搬送路１４によって鑑別部１５に搬送する。
ＳＡ４、処理機制御部１１は、鑑別部１５によって搬送された紙幣の外形に基づく金種を鑑別すると共に、鑑別した紙幣を一時集積部１６へと搬送して集積する。
【００３５】
また、処理機制御部１１は、鑑別した金種ごとの紙幣枚数を計数していき、計数した金種ごとの紙幣枚数を処理機記憶部１２に記憶する。
ＳＡ５、処理機制御部１１は、投入された全ての紙幣を鑑別した後、記憶した金種ごとの紙幣枚数を読み出し、その金種ごとの紙幣枚数を付した強制入金枚数通知をＬＡＮを介して窓口端末１に送信する。
【００３６】
ＳＡ６、窓口制御部４は、受信した強制入金枚数通知に付された金種ごとの紙幣枚数を投入紙幣枚数として窓口記憶部５に記憶しておき、窓口記憶部５から入力紙幣枚数と投入紙幣枚数とを読み出し、読み出した入力紙幣枚数と投入紙幣枚数とを比較する。
ＳＡ７、窓口制御部４は、比較の結果、入力紙幣枚数と投入紙幣枚数とが一致した場合はステップＳＡ９に進み、入力紙幣枚数と投入紙幣枚数とが不一致であった場合は次のステップＳＡ８に移行する。
【００３７】
ＳＡ８、窓口制御部４は、入力紙幣枚数と投入紙幣枚数とが不一致であると判断すると、強制入金取引を中止する旨の文言を配した取引中止画面を窓口表示部２に表示し、紙幣処理機１０に取引中止通知を送信して、強制入金取引を終了する。
一方、処理機制御部１１は窓口端末１から取引中止通知を受信すると、一時集積部１６に集積した紙幣を搬送路１４によって返却部１７へと搬送し、返却部１７に集積することで窓口係員に紙幣を返却する。
【００３８】
このようにして強制入金取引は、中止されて終了する。
ＳＡ９、窓口制御部４は、入力紙幣枚数と投入紙幣枚数とが一致していると判断すると、入力紙幣枚数と投入紙幣枚数とが一致していることを示す案内と、紙幣の収納開始の有無を問う文言、収納を開始する旨の確認キー、紙幣の収納を中止して強制入金取引を終了する中止キー等を配した収納開始確認画面を窓口表示部２に表示する。
【００３９】
ここで、窓口係員は確認キーを押下する。
ＳＡ１０、窓口制御部４は、確認キーの押下を認識すると、紙幣収納指示を紙幣処理機１０に送信する。
ＳＡ１１、処理機制御部１１は、一時集積部１６に集積した紙幣を搬送路１４によって鑑別部１５に搬送して再度紙幣の外形からその金種の鑑別を行い、金種を鑑別した紙幣を順次金種別紙幣収納部１８に搬送し、その鑑別した金種に該当する金種別紙幣収納部１８のカセットに収納する。
【００４０】
ＳＡ１２、処理機制御部１１は、全ての紙幣を収納すると、強制入金取引において投入された紙幣を全て収納した旨の紙幣入金済通知を窓口端末１に送信する。
ＳＡ１３、窓口制御部４は、記憶している氏名と口座番号、強制入金総額を読み出してこれらを付した入金取引情報をホストコンピュータ２０に送信することで、ホストコンピュータ２０が管理する当該顧客の口座残高に入金された紙幣の総額を加えて口座残高を更新させ、強制入金取引を終了する。
【００４１】
以上説明したように、本実施例は、上記実施例１の効果に加えて、強制入金取引において投入される紙幣の金種ごとの枚数を入力させておき、紙幣処理機の一時集積部に紙幣を集積したときに、集積した紙幣の金種ごとの紙幣枚数と、入力させた金種ごとの紙幣枚数とを比較し、金種ごとの枚数が一致するか否かを判断するため、窓口係員が上記実施例１における紙幣枚数確認画面で金種ごとの紙幣枚数を確認する手間を省くことができる。
【実施例３】
【００４２】
本実施例の窓口取引システムの構成において、上記各実施例と同様の部分は同一の符号を付してその説明を省略する。
図４は実施例３の窓口取引システムを示すブロック図である。
図４において、２５は本実施例における金種別紙幣収納部であり、上記各実施例と同様に予め定められた金種の紙幣を一定枚数収納するカセット（金種別カセット２５ａという。）を有すると共に、本実施例においては強制入金取引にて投入された紙幣だけを一括して収納する強制入金専用カセット２５ｂを有している。
【００４３】
上述した構成の作用について、図５に示す実施例３の窓口取引システムの強制入金取引を示すフローチャートを用いてＳＢで示すステップに従って説明する。
ここで、窓口端末１は、既に上記実施例１に示す通常の入金取引を実行し、その際に紙幣処理機１０が金種不明等のリジェクト紙幣を窓口係員に返却しているものとする。
また、窓口係員は返却された紙幣を目視等によって正券であるか否かを確認し、正券であることを確認した紙幣を紙幣処理機１０に収納するために、窓口端末１の窓口入力部３によって強制入金取引を実行する入力操作を行う。
【００４４】
さらに、窓口係員は通常の入金取引の際に予め顧客から預かっていた伝票に記入されていた氏名と口座番号を窓口入力部３に入力する。
ＳＢ１、窓口制御部４は、強制入金取引を実行する入力操作と共に、氏名と口座番号が入力されると、入力された氏名と口座番号を窓口記憶部５に記憶しておき、窓口表示部２に紙幣の投入を促す画面を表示する。
【００４５】
なお、窓口制御部４は強制入金取引を実行する旨の通知を紙幣処理機１０に送信し、これによって紙幣処理機１０は投入される紙幣を受け入れることが可能な状態となる。
窓口係員は、表示された画面に従い、目視等によって正券であることを確認した紙幣を紙幣処理機１０の紙幣投入部１３の紙幣投入口に投入する。
ＳＢ２、処理機制御部１１は、紙幣投入部１３に投入された紙幣を搬送路１４に繰出し、搬送路１４によって鑑別部１５に搬送する。
【００４６】
ＳＢ３、処理機制御部１１は、鑑別部１５によって搬送された紙幣の外形に基づく金種を鑑別すると共に、鑑別した紙幣を一時集積部１６へと搬送して集積する。
また、処理機制御部１１は、鑑別した金種ごとの紙幣枚数を計数してその計数した金種ごとの紙幣枚数を処理機記憶部１２に記憶する。
ＳＢ４、処理機制御部１１は、投入された全ての紙幣を鑑別した後、記憶した金種ごとの紙幣枚数を読み出し、その金種ごとの紙幣枚数を付した強制入金枚数通知をＬＡＮを介して窓口端末１に送信する。
【００４７】
ＳＢ５、窓口制御部４は、受信した強制入金枚数通知に付された金種ごとの紙幣枚数を窓口記憶部５に記憶しておき、その金種ごとの紙幣枚数と、窓口係員に対して金種ごとの紙幣枚数を確認させる旨の画面、確認した旨を入力する確認キー、強制入金取引を中止する中止キー等を配した紙幣枚数確認画面を窓口表示部２に表示する。
金種ごとの紙幣枚数を確認した窓口係員は、表示された紙幣枚数確認画面の確認キーを押下する。
【００４８】
ＳＢ６、窓口制御部４は、確認キーの押下を認識すると、紙幣収納指示を紙幣処理機１０に送信する。
ＳＢ７、処理機制御部１１は、一時集積部１６に集積した紙幣を搬送路１４によって金種別紙幣収納部２５の強制入金専用カセット２５ｂに搬送して収納する。
ＳＢ８、処理機制御部１１は、全ての紙幣を収納すると、強制入金取引において投入された紙幣を全て収納した旨の紙幣入金済通知を窓口端末１に送信する。
【００４９】
ＳＢ９、窓口制御部４は、記憶している氏名と口座番号、強制入金総額を読み出してこれらを付した入金取引情報をホストコンピュータ２０に送信することで、ホストコンピュータ２０が管理する当該顧客の口座残高に入金された紙幣の総額を加えて口座残高を更新させ、強制入金取引を終了する。
以上説明したように、本実施例では、上記実施例１の効果に加えて、強制入金取引で投入された紙幣を強制入金専用カセットに一括して収納するため、あとで強制入金取引で収納した紙幣の確認等を行う状況が発生した場合でも容易に対象となる紙幣を特定して確認することができる。
【図面の簡単な説明】
【００５０】
【図１】実施例１の窓口取引システムを示すブロック図
【図２】実施例１の窓口取引システムの強制入金取引を示すフローチャート
【図３】実施例２の窓口取引システムの強制入金取引を示すフローチャート
【図４】実施例３の窓口取引システムを示すブロック図
【図５】実施例３の窓口取引システムの強制入金取引を示すフローチャート
【符号の説明】
【００５１】
１    窓口端末
２    窓口表示部
３    窓口入力部
４    窓口制御部
５    窓口記憶部
１０  紙幣処理機
１１  処理機制御部
１２  処理機記憶部
１３  紙幣投入部
１４  搬送路
１５  鑑別部
１６  一時集積部
１７  返却部
１８、２５  金種別紙幣収納部
１９  リジェクト収納部
２０  ホストコンピュータ
２５ａ  金種別カセット
２５ｂ  強制入金専用カセット
【図１】
2010015402.tif 000003
【図２】
2010015402.tif 000004
【図３】
2010015402.tif 000005
【図４】
2010015402.tif 000006
【図５】
2010015402.tif 000007